(57)【要約】【課題】大地震や大津波で家屋が流出すると、人々は野外の空地でトイレの用を足すしかない。この人の尊厳を傷つけるだけでなく衛生上でも大きな問題を、どこにでもある身近な自転車で解決する。【解決手段】自転車のクランクアーム５を架台として、略直方体の地面発掘棒１１をペダル６方向に向け、地面８に浅く当たるまで延ばすと共に、その先端両側に刃形凸面１２と匙形凹面１３を各々形成する。クランクアーム５を廻すと刃形凸面１２で地面８に穴９を掘り、匙形凹面１３で穴９の横に盛り土をつくり、この盛土で穴９の中にトイレ排出物を埋める（請求項１）。また遮蔽カーテン１７を伸縮ポール１８に結び、伸縮ポール１８をハンドル回転卓２５の上に立てて、遮蔽カーテン１７でトイレを利用する人を遮蔽する（請求項４）。【選択図】図５
2016159898.tif 000002
【特許請求の範囲】
【請求項１】
クランクアームを架台として自転車に取り付ける略直方体の地面発掘棒であって、前記地面発掘棒１１は地面８と垂直にしたとき、クランクアーム軸２６を始点としてペダル６に向けた略直方体の棒先を、ペダル６を越えて地面８に浅く当たるまで延ばすと共に、延ばした先端において、自転車後輪タイヤ２側に刃形凸面１２を、同じく前輪タイヤ１側に匙形凹面１３を各々形成する、以上を特徴とする自転車野外トイレの地面発掘棒
【請求項２】
請求項１における地面発掘棒を長尺にし、長尺の両端で浅穴と深穴を掘り分ける両刃の地面発掘棒であって、前記地面発掘棒１１はクランクアーム軸２６をほぼ中間点として地面８と空中一点の間に設置するが、クランクアーム軸２６と空中一点間の長さを、クランクアーム軸２６と地面８間より若干長くすると共に、空中一点側の端にも刃形凸面１２と匙形凹面１３を各々形成する、以上を特徴とする自転車野外トイレの両刃地面発掘棒
【請求項３】
請求項１における地面発掘を横幅拡げで行うため自転車前輪に敷く拡幅台座であって、前記拡幅台座１４に使う地面発掘棒１１は、地面８に深く当たるまで棒先を延ばして設定すると共に、前記拡幅台座１４は台の上面１５を傾斜させ、傾斜面に前輪タイヤ１の接地面形状を成すタイヤ溝１６複数を、上下左右交互に、人の足跡様に開溝する、以上を特徴とする自転車野外トイレの拡幅台座
【請求項４】
請求項１から請求項３における自転車野外トイレに設営する遮蔽カーテン装置であって、前記遮蔽カーテン１７を伸縮ポール１８に結び、伸縮ポール１８をハンドル回転卓２５に結び、ハンドル回転卓２５をハンドル３に設置する回転バンド１９に結んで、前記の遮蔽カーテン１７と伸縮ポール１８とハンドル回転卓２５の三物を一連に繋いで自転車の前篭４に一括格納すると共に、トイレ使用時に、ハンドル回転卓２５の半回転で遮蔽カーテン１７と伸縮ポール１８を共に前篭４より出し、伸縮ポール１８を伸ばして遮蔽カーテン１７を自転車中央の上空間に設営する、以上を特徴とする自転車野外トイレの遮蔽カーテン装置
【請求項５】
請求項４における自転車野外トイレに設営するペットボトルシャワー装置とペットボトルシャワートイレ装置であって、請求項４において伸縮ポール１８と遮蔽カーテン１７を自転車中央の上空間に設営すると共に、前記伸縮ポール１８の先端に水を満たしたペットボトル２１を逆吊り配置し、ペットボトル２１の蓋２２に開けた小穴２３よりペットボトル２１に入れた水を雨滴にして霧散させ、また蓋２２に通したビニールホース２７よりペットボトル２１に入れた水をホース水にして地面８まで引水する、以上を特徴とする自転車野外トイレのペットボトルシャワー装置とペットボトルシャワートイレ装置
【発明の詳細な説明】
【技術分野】
【０００１】  本発明は自転車でつくる野外トイレと、前記トイレを隠蔽する自転車野外カーテンと、前記カーテンを利用する自転車野外シャワーに関する技術である。
【背景技術】
【０００２】  災害時のトイレに関しては特許文献１のものがあり、これは野外で使う軽便トイレである。次に野外でトイレ中を隠蔽するものに関しては特許文献２のものがあり、これはスカートでトイレ使用を隠蔽する。さらに野外で自転車と水とシャワーに関しては特許文献３のものがあり、これは自転車利用で河川水を殺菌しシャワーする方法である。
【先行技術文献】
【０００３】
【特許文献１】特許公開  ２０１２−２２８４９５  大災害時における軽便トイレ
【特許文献２】特許公開  ２００８−１９０１００  野外トイレ用スカート
【特許文献３】特許公開  ２０１４−１０４４６０  災害時河川水殺菌するシャワー
【発明の概要】
【発明が解決しようとする課題】
【０００４】  数年前に、国内で大きな地震とそれによる津波被害があった。多くの人命と共に多くの家屋が流出し倒壊した。九死に一生を得て生き延びた人々に様々な問題降りかかったが、身近な問題のひとつががトイレ問題であった。このような緊急時には、野外の空地で用を足すしかないが、これは人の尊厳まで水浸しにし、また公衆衛生上でも大きな問題である。海外に目を転じても、アフリカや中東圏などでは民族間や国家間の紛争で多くの人々が流浪や野営生活を余儀なくされ、やはりトイレが大きな問題となっている。この発明はこうした緊急時のトイレ問題を解決する。さらに野外トイレに関連し、トイレ利用中の身の隠蔽と、トイレと共に利用したいシャワーに関する課題を解決する。
【課題を解決するための手段】
【０００５】  これらの課題を解決するため、自転車で作る屋外移動トイレ等を作る５発明の手段を請求項ごとに要約で述べる。【０００６】  課題を解決するため請求項１では自転車で軟らかい地面に穴を掘り、野外トイレをつくる手段をとる。請求項２では粘土質や雑草の根が深いなど固い地面に対し、先ず浅い穴を掘り次に深い穴へと、掘削の刃先を変えて掘り進む手段をとる。請求項３では穴を幅広く掘る手段をとる。請求項４では自転車に遮蔽カーテンを張り、用を足す人を隠す手段をとる。請求項５ではトイレと一緒に汗も流したい人にシャワーや、また自然環境に配慮しトイレットペーパーを使わない人にシャワートイレを作る手段をとる。
【発明の効果】
【０００７】  この発明は次のような優れた効果を発揮する。
（１）自転車で地面を掘り、野外トイレをつくる。（請求項１）
（２）雑草が茂るなど固い地面に最初は地面を浅く掘り、次に刃先を変えて深くと、両刃      で掘り進んで野外トイレをつくる。（請求項２）
（３）前輪の高さ調整で地面を横幅広く掘り、広い穴の野外トイレつくる。（請求項３）
（４）自転車で遮蔽カーテンを作り、その中で用を足す人を隠す。（請求項４）
（５）自転車で野外全身シャワー、及びシャワートイレを作る。（請求項５）
【図面の簡単な説明】
【０００８】
【図１】請求項１を示す斜視図
【図２】請求項２を示す斜視図
【図３】請求項３を示す斜視図
【図４】請求項１から請求項３における地面発掘棒１１の使用を示す斜視図
【図５】請求項４を示す斜視図
【図６】請求項５を示す斜視図
【発明を実施するための形態】
【０００９】  まず、野外トイレを考えた動機を述べる。自分自身も悲惨な自然災害を経験した。昭和３４年の水死・行方不明五千人余名を出した伊勢湾台風である。名古屋市南部や三重県北部の海や河川に近い家屋の多くが床上又は屋根まで冠水し、長らくトイレ問題が深刻であった。伊勢湾台風のとき、名古屋市南部で当時男子高校生であった私も、大きいトイレは家の近くではできなかった。海水に浸かったが何とか動いた自転車で１０分ほど近くを走り回り、人目のつかない場所を探して用を足した。しかし地面に穴を掘って用を足すことや、排出物に土を掛けるなどの思慮は未だなかった。こうした私の経験から非常時のトイレは、「（人のいない所に）場所移動できること」、「身を隠して利用できること」、「排出物を土中に埋めること」が主要素と考える。
【００１０】  一方話は飛んで、現在の自転車バブルである。社会が消費は美徳とする生活環境に変り、またデフレも重なって自転車が１万円前後の価格となり、その反動で毎年多くの自転車が破棄される。廃棄される自転車の多くは、錆びついたりブレーキが利かなかったりタイヤがすり減ったものが多いが、そうした動かない自転車でも駐輪したまま活用できないかと考えてきた。
【００１１】  そこで私は、自然災害と廃棄自転車の二つを関連付けて、災害非常時の自転車トイレを考えた。いわば遊休自転車の有事活用である。以上を念頭に、図面の第１図から第６図までを見ながら、当発明の請求項１から請求項５の実施形態を詳細に説明する。
【００１２】  請求項１を第１図面と第４図を見ながら説明する。請求項１の特徴は、自転車で地面８に穴９を掘り、野外用トイレを準備することである。
【００１３】  当発明の基盤となる自転車のクランクアーム５を説明する。自転車はクランクアーム５でチェーンを廻して走る、言い換えれば走らなければ自転車の価値はない。しかし当発明の請求項１から請求項３では、故障などで走らない自転車でもクランクアーム５さえ廻れば価値ある自転車になる。すなわち当発明では、駐輪する自転車のクランクアーム５の回転を、地面８を掘る運動に変えるのである。このためクランクアーム５に、地面８を掘る道具として地面発掘棒１１を取り付ける。
【００１４】  地面発掘棒１１を、地面８と垂直に置いた状態で説明する。地面発掘棒１１は略直方体の棒である。地面８を掘るので材質は硬質の金属が望ましい。この地面発掘棒１１はクランクアーム軸２６を始点として棒先をペダル６方向に向け、これを越えて地面８に浅く当たるまで延ばす。クランクアーム軸２６からペダル６までの間を固定器具でしっかり固定された地面発掘棒１１は、ペダル６を力強く踏む力で地面８に力強く当たる。
【００１５】  地面発掘棒１１の先端部の地面開口部を説明する。地面８に当たるので、地面発掘棒１１先端部は、鍬の刃先のように刃形凸面１２に仕上げなければならない。このため地面発掘棒１１は焼きを入れるなどの方法で固くして、鋭い刃先で地面８に当たりこれを切り開く。この刃形凸面１２は直方体先端の自転車後輪側に付ける。自転車後輪側に付ける理由を、図３と図４左図で説明する。地面８を掘るのに、いちばん力がかかりやすいクランクアーム５の位置が時計８時の位置で、ここから力をためて時計位置５時の後輪に向かう。このため地面８を掘る刃形凸面１２を自転車後輪側に向けて取り付ける。このように地面発掘棒１１の時計位置８時から５時の回転を繰り返し、地面８に穴９を開ける。
【００１６】  地面発掘棒１１の先端部における土の排出を説明する。前項で掘った穴９の排土１０は一か所に集めなければならない。このため地面発掘棒１１の先端部には、土の排出機能として匙形凹面１３を自転車前輪側に設ける。自転車前輪側に設ける理由は、図４の中図と右図を見れば一目瞭然である。すなわち中図ではクランクアーム５の回転で排土１０が穴８の後輪側に堆積している。このため今度はクランクアーム５の回転を逆回転にして、図４の右図のように排土１０を前輪側に移動する。このように当発明の地面発掘棒１１は、クランクアーム５の半回転を、後ろ廻し反転して前廻しと、何回も反復して野外トイレをつくる。集積した排土１０はトイレ使用あと排出物にかぶせ、排出物を大自然の土中に戻す。
【００１７】  なお上記では、地面発掘棒１１は固定器具でしっかりクランクアーム５に固定取り付けするとしたが、この他の取り付け方法としてクランクアーム５にスライド筒を固定取り付けし、筒内に地面発掘棒１１をスライド取り付けする方法も考えられる。この方法によると地面８を深く掘りたいときは、地面発掘棒１１をスライドして長くすれば、より深い穴９を掘ることができる。
【００１８】  請求項２を、図２と図４を見ながら説明する。請求項２では、地面発掘棒１１を請求項１における２倍超の長さにしその両端で発掘して、粘土質で非常に硬い地面８や雑草が茂って根の多い地面８に対してでも、浅い穴９から深い穴９と刃先を変えることにより穴９を掘る技術である。
【００１９】  この目的のため、両刃の地面発掘棒１１はクランクアーム軸２６をほぼ中間点として地面８と空中一点の間に長い直方体を設定する。このとき中間のクランクアーム軸２６と空中一点間の長さを、クランクアーム軸２６と地面８間より若干長く設定する。
【００２０】  長く設定した空中一点側両にも刃形凸面１２と匙形凹面１３を各々形成する。これで両刃の地面発掘棒１１は完成する。使い方としては、短い方の地面発掘棒１１を地面８に向けで浅く穴９を掘り、次に長い方の地面発掘棒１１を地面８に向けて深く穴８を掘る。
【００２１】  請求項３を、図３と図４を見ながら説明する。請求項３は請求項１における発掘地面をさらに広くすることを、自転車前輪タイヤ１の横置き調整で行う技術である。すなわち前輪タイヤ１の位置を左・右・左と変えることで、穴９を広くする技術である。この目的のため、次に述べる拡幅台座１４を、前輪タイヤ１の敷台として使う。
【００２２】  拡幅台座１４を、図３で説明する。拡幅台座１４は台の上面１５を傾斜させている。その傾斜面に前輪タイヤ１の接地面形状を成すタイヤ溝１６複数を、上下左右交互に、人の足跡様に開溝する。特にタイヤ溝１６左右間の間隔が重要で、野外トイレに開ける穴９の横幅は１５ｃｍほどが最適であり、従ってタイヤ溝１６左右間の間隔も同じ程とする。
【００２３】  この台座の使い方は次のようにする。自転車で野外トイレつくるとき、自転車の前輪タイヤ１は図３の上段図のように、拡幅台座１４の最上段のタイヤ溝１６に入れて掘る。この状態の地面発掘棒１１は請求項１の状態であり、地面８に穴９を掘る。
【００２４】  次に図３の下段図のように、前輪を少し持ち上げて拡幅台座１４を前に押し出し、前輪タイヤ１を傾斜２段目の１段目より横にそれたタイヤ溝１６に入れる。これに伴い自転車の前輪位置が横に寄った位置になり、従って地面発掘棒１１も前記最上段で開けた穴９より横に寄った地面８に移動し、一段目で作った穴９を幅広げする。
【００２５】  このようにして、３段目そして４段目のタイヤ溝１６と、前輪が順番に拡幅台座１４を下っていけば、地面発掘棒１１が幅広く穴９を掘る。
【００２６】  拡幅台座１４の穴掘り以外の効用として、主に砂地で使う野外トイレ自転車の駐輪を安定させることがある。砂地などでは後輪スタンド７だけでは倒れやすいので、この拡幅台座１４に前輪を入れて置けば、自転車の転倒を減らすことができる。
【００２７】  請求項４を、図５を見ながら説明する。請求項４は請求項１から請求項３における自転車野外トイレに設営する遮蔽カーテン装置である。装置の構成品として、遮蔽カーテン１７と伸縮ポール１８とハンドル回転卓２５と回転バンド１９の４点がある。
【００２８】  構成品のうち、市販品としてすぐ手に入るのは、遮蔽カーテン１７と伸縮ポール１８と回転バンド１９の３点である。遮蔽カーテン１７はナイロン製など水をはじくと共に軽い材質のものでよい。この遮蔽カーテン１７はカーテンリング２０に取り付けられ、収納時はカーテンリング２０丸く束ねることで簡単に小さくして収納出来る。次に伸縮ポール１８は３本から４本の筒からなるもので、最大に伸ばすと８０ｃｍほどのものでよい。２６吋自転車のハンドルの高さ約１００ｃｍと合わせると、大人身長を遮蔽する高さとなって丁度よい。最後に回転バンド１９も市販品で間に合う。本来回転バンド１９は水道工事やガス工事や電気工事における管工事部品で、管を駆体に回転可能に留めるものである。当発明の自転車ハンドルも管であり、後述する駆体たるハンドル回転卓２５に結びつけて、ハンドル回転卓２５が前へ後へと回転するのに丁度よい。
【００２９】  ハンドル回転卓２５は当発明特有の装置である。ハンドル回転卓２５自体は何の変哲もない平板であるが、回転バンド１９によりハンドル３上にこのハンドル回転卓２５を置くと、前へ後へと自在に半回転し安定したハンドル卓となる。すなわち前方向への回転は自転車の前籠４で止められ、後方向への回転は自転車のハンドルチューブで止められ、ハンドル３上で安定した卓となる。
【００３０】  なおこのハンドル回転卓２５は、物を置く卓としての効用の他に、サブハンドルとして自転車の舵取り操作をこのハンドル回転卓２５で代行できることなどがある。野外トイレの自転車で不安定な砂上を歩くときなど、このハンドル回転卓２５はサブハンドルとなって、ハンドル３の左右操作を補助する。
【００３１】  さて以上で構成品は取り揃ったので、遮蔽カーテン１７の準備をする。準備は遮蔽カーテン１７を伸縮ポール１８に結び、伸縮ポール１８をハンドル回転卓２５に結び、ハンドル回転卓２５をハンドル３設置の回転バンド１９に結んで完了する。
【００３２】  準備が終わったら、取り敢えず準備したものを自転車の前篭４に一括格納する。遮蔽カーテン１７はカーテンリング２０で丸めて小さくでき、伸縮ポール１８は複数筒を押し縮めて小さくなる。
【００３３】  トイレ使用時には、回転バンド１９の半回転で遮蔽カーテン１７と伸縮ポール１８とハンドル回転卓２５の一連を前篭４より取り出す。そしてハンドル回転卓２５上の伸縮ポール１８を全長に延ばし、これに結んだ遮蔽カーテン１７を自転車中央の上空間に設営する。こうしてトイレ使用する人を、周りの人の目から遮蔽する。
【００３４】  請求項５を図６で説明する。請求項５は請求項４における自転車野外トイレに設営する簡易シャワー装置である。野外で避難生活を送るとき風呂場などない。こうしたとき野外にシャワー装置を提供する。
【００３５】  野外シャワー装置は、請求項４における遮蔽カーテン装置をそのまま転用する。同装置における伸縮ポール１８の先端にペットボトル２１を逆吊り配置し、ペットボトル２１の蓋２２に開けた小穴２３を開けるだけでよい。
【００３６】  シャワーするときは、ペットボトル２１に水を満たし、蓋２２に開けた小穴２３から出る水が雨滴に変り、簡単なシャワーとなる。
【００３７】  また、野外トイレでトイレットペーパーを使わないとき、蓋２２に開けた小穴２３よりビニールホース２７を垂らせば、即席のシャワートイレとなって環境や美観に貢献する。
【００３８】  また災害時ではなくても、楽しい郊外サイクリングなどしたとき、汗をかいたらその場でシャワーを浴びられてよい。
【産業上の利用可能性】
【００３９】  タイヤが減った、錆びてきた、ブレーキが利かないなどの理由で破棄される運命の自転車を、大災害時の野外トイレや野外シャワーとして再活用する。
【符号の説明】
【００４０】  １  前輪タイヤ
２  後輪タイヤ
３  ハンドル
４  前籠
５  クランクアーム
６  ペダル
７  後輪スタンド
８  地面
９  穴
１０  排土
１１  地面発掘棒
１２  刃形凸面
１３  匙形凹面
１４  拡幅台座
１５  上面
１６  タイヤ溝
１７  遮蔽カーテン
１８  伸縮ポール
１９  回転バンド
２０  カーテンリング
２１  ペットボトル
２２  蓋
２３  小穴
２４  サドル
２５  ハンドル回転卓
２６  クランクアーム軸
２７  ビニールホース
【図１】
2016159898.tif 000003
【図２】
2016159898.tif 000004
【図３】
2016159898.tif 000005
【図４】
2016159898.tif 000006
【図５】
2016159898.tif 000007
【図６】
2016159898.tif 000008